(57)【要約】【課題】紫外線偽札検出装置の提供。【解決手段】発光モジュールと受光モジュールを具え、該発光モジュールと受光モジュールの間に紙幣通路が設けられ、発光モジュールに少なくとも一つの紫外線発光ダイオードが設けられ、受光モジュールに紫外線発光ダイオードに対応するホトトランジスタが設けられ、紫外線発光ダイオードが発射する紫外線を紙幣通路を通過させてホトトランジスタに照射し、紙幣が紙幣通路を通過する時、、紫外線発光ダイオードの発射する紫外線が紙幣を通過してホトトランジスタに照射され、ホトトランジスタが蛍光反応を有する紙幣の特殊なインクを検出し、並びに検出した蛍光信号を検出装置の制御ユニットに送り、制御ユニットが蛍光信号により紙幣の真偽を判別する。【選択図】　　　　図２
0003098434.tif 000002
【実用新案登録請求の範囲】
【請求項１】
主体、紙幣箱を具えた紙幣受領機にあって、該主体のパネルの紙幣投入口の後方に連接されて、該紙幣投入口より挿入された紙幣の真偽を識別する紙幣受領機の紫外線偽札検出装置において、
該検出装置が発光モジュール、受光モジュール、制御ユニットを具え、発光モジュールが検出装置の発射ベースの検出面に設けられ、受光モジュールが検出装置の受信ベースの検出面に設けられ、これら検出面が相互に対応し、且つ検出装置のこれら二つの検出面の間に紙幣通路が形成され、該発光モジュールに少なくとも一つの紫外線発光ダイオードが設けられ、受光モジュールにこの紫外線発光ダイオードに対応するホトトランジスタが設けられ、紫外線発光ダイオードが発射する紫外線が紙幣通路を通過してホトトランジスタに照射され、紙幣通路を紙幣が通過する時、紫外線発光ダイオードの発射する紫外線が紙幣を通過してホトトランジスタに照射され、ホトトランジスタが紫外線が紙幣の特殊インクを励起して発生させた蛍光を検出し、並びに蛍光信号を該制御ユニットに送り、制御ユニットが受光モジュールを利用して検出した蛍光により、紙幣の真偽を判別することを特徴とする、紙幣受領機の紫外線偽札検出装置。
【請求項２】
請求項１記載の紙幣受領機の紫外線偽札検出装置において、検出装置が通信インタフェースモジュールを具え、該通信インタフェースモジュールがコンピュータ、両替機或いは販売機とされうるホストマシンに連接され、これによりホストマシンを利用して制御ユニットのプログラムを設定できることを特徴とする、紙幣受領機の紫外線偽札検出装置。
【請求項３】
請求項２記載の紙幣受領機の紫外線偽札検出装置において、検出装置が伝動モジュールを具え、該伝動モジュールが主体内部の輸送機構に設けられ、紙幣に順調に紙幣通路を通過させて紙幣箱内に送り込むことを特徴とする、紙幣受領機の紫外線偽札検出装置。
【請求項４】
請求項３記載の紙幣受領機の紫外線偽札検出装置において、検出装置が電源駆動モジュールを具え、該電源駆動モジュールが電源を適当な電力に変換し、発光モジュール、受光モジュール、制御ユニット、通信インタフェースモジュール及び伝動モジュールの使用に供し、制御ユニットが事前に設定されたプログラムにより、発光モジュール、受光モジュール、通信インタフェースモジュール及び伝動モジュールの作動を制御することを特徴とする、紙幣受領機の紫外線偽札検出装置。
【請求項５】
請求項１記載の紙幣受領機の紫外線偽札検出装置において、発光モジュールがＮＰＮトランジスタ及び限流抵抗を具え、該ＮＰＮトランジスタのベースと制御ユニットが連接され、コレクタと紫外線発光ダイオードが連接され、エミッタと限流抵抗が連接され、限流抵抗の別端が接地回路に連接され、制御ユニットがＮＰＮトランジスタ、限流抵抗により紫外線発光ダイオードに流入する電流を制御し、これにより紫外線発光ダイオードが発射する紫外線の強度を制御することを特徴とする、紙幣受領機の紫外線偽札検出装置。
【請求項６】
請求項５記載の紙幣受領機の紫外線偽札検出装置において、受光モジュールが分圧抵抗を具え、該分圧抵抗の一端がホトトランジスタ、制御ユニットに連接され、別端が接地回路に連接され、分圧抵抗がホトトランジスタに調整した電圧を出力し、ホトトランジスタが検出した蛍光信号を制御ユニットに送ることを特徴とする、紙幣受領機の紫外線偽札検出装置。
【考案の詳細な説明】
【０００１】
【考案の属する技術分野】
本考案は一種の紫外線偽札検出装置に係り、特に、検出装置に紫外線発光ダイオードが設けられて、検出装置のホトトランジスタを利用し、この紫外線発光ダイオードの紫外線を紙幣に照射した時の蛍光反応を検出し、紙幣の真偽を判別する、紫外線偽札検出装置に関する。
【０００２】
【従来の技術】
販売方式は昔からの人による販売から、自動販売機方式へと変化し、自動販売機は硬貨支払いと貨幣支払いの二種類の方式が採用されている。現在、偽札の氾濫は周知のとおりであり、偽札は市場の物価波動の不安定をもたらし、関係業者は自動販売機の紙幣受領機内部の識別能力を高める努力を重ね、自身の利益の確保に努めている。しかし、偽札の製造技術はますます進歩しており、且つ現在紙幣受領機内部の検出装置には紫外線検出設備がなく、ゆえに紙幣の特殊インクを識別することができず、このため正確に識別する能力がなく、関係業者に損失をもたらしている。ゆえにこのような欠点を如何に解決するかが、関係業者の共通の目的とされている。
【０００３】
【考案が解決しようとする課題】
本考案は従来の紙幣受領機内部の検出装置に紫外線検出設備がないという欠点を解決するため、紫外線偽札検出装置を提供するものである。
【０００４】
即ち、本考案の主要な目的は、一種の紫外線偽札検出装置を提供することにあり、それは、発光モジュールと受光モジュールを具え、該発光モジュールと受光モジュールの間に紙幣通路が設けられ、発光モジュールに少なくとも一つの紫外線発光ダイオードが設けられ、受光モジュールに紫外線発光ダイオードに対応するホトトランジスタが設けられ、紫外線発光ダイオードが発射する紫外線を紙幣通路を通過させてホトトランジスタに照射し、紙幣が紙幣通路を通過する時、紫外線発光ダイオードの発射する紫外線が紙幣を通過してホトトランジスタに照射され、ホトトランジスタが蛍光反応を有する紙幣の特殊なインクを検出し、並びに検出した蛍光信号を検出装置の制御ユニットに送り、制御ユニットが蛍光信号により紙幣の真偽を判別し、こうして正確な識別能力を具備するものとされる。
【０００５】
【課題を解決するための手段】
請求項１の考案は、主体、紙幣箱を具えた紙幣受領機にあって、該主体のパネルの紙幣投入口の後方に連接されて、該紙幣投入口より挿入された紙幣の真偽を識別する紙幣受領機の紫外線偽札検出装置において、
該検出装置が発光モジュール、受光モジュール、制御ユニットを具え、発光モジュールが検出装置の発射ベースの検出面に設けられ、受光モジュールが検出装置の受信ベースの検出面に設けられ、これら検出面が相互に対応し、且つ検出装置のこれら二つの検出面の間に紙幣通路が形成され、該発光モジュールに少なくとも一つの紫外線発光ダイオードが設けられ、受光モジュールにこの紫外線発光ダイオードに対応するホトトランジスタが設けられ、紫外線発光ダイオードが発射する紫外線が紙幣通路を通過してホトトランジスタに照射され、紙幣通路を紙幣が通過する時、紫外線発光ダイオードの発射する紫外線が紙幣を通過してホトトランジスタに照射され、ホトトランジスタが紫外線が紙幣の特殊インクを励起して発生させた蛍光を検出し、並びに蛍光信号を該制御ユニットに送り、制御ユニットが受光モジュールを利用して検出した蛍光により、紙幣の真偽を判別することを特徴とする、紙幣受領機の紫外線偽札検出装置としている。
請求項２の考案は、請求項１記載の紙幣受領機の紫外線偽札検出装置において、検出装置が通信インタフェースモジュールを具え、該通信インタフェースモジュールがコンピュータ、両替機或いは販売機とされうるホストマシンに連接され、これによりホストマシンを利用して制御ユニットのプログラムを設定できることを特徴とする、紙幣受領機の紫外線偽札検出装置としている。
請求項３の考案は、請求項２記載の紙幣受領機の紫外線偽札検出装置において、検出装置が伝動モジュールを具え、該伝動モジュールが主体内部の輸送機構に設けられ、紙幣に順調に紙幣通路を通過させて紙幣箱内に送り込むことを特徴とする、紙幣受領機の紫外線偽札検出装置としている。
請求項４の考案は、請求項３記載の紙幣受領機の紫外線偽札検出装置において、検出装置が電源駆動モジュールを具え、該電源駆動モジュールが電源を適当な電力に変換し、発光モジュール、受光モジュール、制御ユニット、通信インタフェースモジュール及び伝動モジュールの使用に供し、制御ユニットが事前に設定されたプログラムにより、発光モジュール、受光モジュール、通信インタフェースモジュール及び伝動モジュールの作動を制御することを特徴とする、紙幣受領機の紫外線偽札検出装置としている。
請求項５の考案は、請求項１記載の紙幣受領機の紫外線偽札検出装置において、発光モジュールがＮＰＮトランジスタ及び限流抵抗を具え、該ＮＰＮトランジスタのベースと制御ユニットが連接され、コレクタと紫外線発光ダイオードが連接され、エミッタと限流抵抗が連接され、限流抵抗の別端が接地回路に連接され、制御ユニットがＮＰＮトランジスタ、限流抵抗により紫外線発光ダイオードに流入する電流を制御し、これにより紫外線発光ダイオードが発射する紫外線の強度を制御することを特徴とする、紙幣受領機の紫外線偽札検出装置としている。請求項６の考案は、請求項５記載の紙幣受領機の紫外線偽札検出装置において、受光モジュールが分圧抵抗を具え、該分圧抵抗の一端がホトトランジスタ、制御ユニットに連接され、別端が接地回路に連接され、分圧抵抗がホトトランジスタに調整した電圧を出力し、ホトトランジスタが検出した蛍光信号を制御ユニットに送ることを特徴とする、紙幣受領機の紫外線偽札検出装置としている。
【０００６】
【考案の実施の形態】
図１は本考案の斜視図、図２は本考案の側面断面図である。これらの図に示されるように、紙幣受領機は、主体１、紙幣箱２及び検出装置３を具えている。そのうち、該主体１のパネル１１に紙幣投入口１１１が設けられ、並びに後方の検出装置３と連接され、紙幣がここより進入し識別に供される。検出装置３は主体１内部に設けられた輸送機構及び紙幣押圧機構に連接されて、紙幣を順調に紙幣箱２内に挿入する。
【０００７】
図３の本考案のブロック図も参照されたい。検出装置３は発光モジュール３３（図４、５も参照されたい）、受光モジュール３４（図４、図６も参照されたい）、制御ユニット３５（図７、８、９、１０も参照されたい）、電源駆動モジュール３６（図１１も参照されたい）、通信インタフェースモジュール３７（図１２、図１３も参照されたい）及び伝動モジュール３８（図１４も参照されたい）を具えている。そのうち、発光モジュール３３は検出装置３の発射ベース３１の検出面３１１に設けられ、受光モジュール３４は検出装置３の受信ベース３２の検出面３２１に設けられ、これら検出面３１１、３２１は相互に対応する状態とされ、且つ検出装置３の二つの検出面３１１、３２１の間に紙幣通路３９が形成されている。該発光モジュール３３に少なくとも一つの紫外線発光ダイオード３３１が設けられ、受光モジュール３４にこの紫外線発光ダイオード３３１に対応するホトトランジスタ３４１が設けられ、紫外線発光ダイオード３３１が発射する紫外線が紙幣通路３９を通過してホトトランジスタ３４１に照射され、紙幣通路３９を紙幣が通過する時、紫外線発光ダイオード３３１の発射する紫外線が紙幣を通過してホトトランジスタ３４１に照射され、ホトトランジスタ３４１が紫外線が紙幣の特殊インクを励起して発生させた蛍光を検出し、並びに蛍光信号を該制御ユニット３５に送り、制御ユニット３５がホトトランジスタ３４１を利用して検出した蛍光により、紙幣の真偽を判別する。
【０００８】
再度図１、２、３、４の本考案の斜視図、側面断面図、ブロック図及び発光モジュールと受光モジュールの回路表示図を参照されたい。電源駆動モジュール３６は電源（図示せず）を適当な電力に変換し、発光モジュール３３、受光モジュール３４、制御ユニット３５、通信インタフェースモジュール３７及び伝動モジュール３８の使用に供し、制御ユニット３５はそれに事前に設定されたプログラムにより、発光モジュール３３、受光モジュール３４、通信インタフェースモジュール３７及び伝動モジュール３８の作動を制御し、また、通信インタフェースモジュール３７はホストマシン（図示せず）に連接されて、このホストマシン（コンピュータ、両替機或いは販売機等の装置）を利用して制御ユニット３５の動作方式を設定できるようにするものとされ、伝動モジュール３８は主体１内部の輸送機構に設けられ、紙幣に順調に紙幣通路３９を通過させて更に紙幣箱２内に置き入れる。
【０００９】
図４に示されるように、発光モジュール３３はさらにＮＰＮトランジスタ３３２及び限流抵抗３３３を具え、そのうち、ＮＰＮトランジスタ３３２のベースと制御ユニット３５が連接され、コレクタと紫外線発光ダイオード３３１が連接され、エミッタと限流抵抗３３３が連接され、限流抵抗３３３の別端が接地回路３３４に連接され、制御ユニット３５はＮＰＮトランジスタ３３２、限流抵抗３３３により紫外線発光ダイオード３３１に流入する電流を制御し、これにより紫外線発光ダイオード３３１が発射する紫外線の強度を制御する。
【００１０】
本考案中、図４に示されるように、受光モジュール３４はさらに分圧抵抗３４２を具え、該分圧抵抗３４２の一端がホトトランジスタ３４１、制御ユニット３５に連接され、別端は接地回路３４３に連接され、分圧抵抗３４２がホトトランジスタ３４１に調整した電圧を出力し、ホトトランジスタ３４１が検出した蛍光信号を制御ユニット３５に送る。
【００１１】
図１５は本考案の動作フローチャートである。検出装置３が紙幣検査を行なう時、その制御ユニット３５は以下のステップで処理を行なう。
（４０１）システムを初期化する
（４０２）検査する紙幣があるかを判断する。紙幣があれば、以下の（４０３）のステップを実行し、なければ（４０２）のステップを続けて実行する
（４０３）紙幣を受け取り、紙幣の蛍光特性を読み取る
（４０４）紙幣の蛍光特性に基づき、紙幣の真偽を判断する。真であると判断した場合は（４０５）のステップを実行し、偽であると判断した場合は（４０６）のステップを実行する
（４０５）紙幣を紙幣箱に送り、並びに受け取り信号を伝送し、続いて（４０２）のステップを実行する
（４０６）紙幣を返却し、（４０２）のステップを続けて実行する。
【００１２】
以上は本考案の具体的実施例の説明に過ぎず、本考案の実施範囲はそれに限定されるわけではなく、本考案に基づきなしうる細部の修飾或いは改変は、いずれも本考案の請求範囲に属するものとする。
【００１３】
【考案の効果】
総合すると、本考案の紫外線偽札検出装置は使用時に確実にその機能及び目的を達成でき、ゆえに本考案は実用性に優れた考案であり、実用新案登録の要件に符合する。
【図面の簡単な説明】
【図１】本考案の斜視図である。
【図２】本考案の側面断面図である。
【図３】本考案のブロック図である。
【図４】本考案の発光モジュールと受光モジュールの電気回路表示図である。
【図５】本考案の発光モジュールの電気回路図である。
【図６】本考案の受光モジュールの電気回路図である。
【図７】本考案の制御ユニットの電気回路図である。
【図８】本考案の制御ユニットの電気回路図である。
【図９】本考案の制御ユニットの電気回路図である。
【図１０】本考案の制御ユニットの電気回路図である。
【図１１】本考案の電源駆動モジュールの電気回路図である。
【図１２】本考案の通信インタフェースモジュールの電気回路図である。
【図１３】本考案の通信インタフェースモジュールの電気回路図である。
【図１４】本考案の電源駆動モジュールの電気回路図である。
【図１５】本考案の動作フローチャートである。
【符号の説明】
１　主体
１１　パネル
１１１　紙幣投入口
２　紙幣箱
３　検出装置
３１　発射ベース
３１１　検出面
３２　受信ベース
３２１　検出面
３３　発光モジュール
３３１　紫外線発光ダイオード
３３２　ＮＰＮトランジスタ
３３３　限流抵抗
３３４　接地回路
３４　受光モジュール
３４１　ホトトランジスタ
３４２　分圧抵抗
３４３　接地回路
３５　制御ユニット
３６　電源駆動モジュール
３７　通信インタフェースモジュール
３８　伝動モジュール
３９　紙幣通路
【図１】
0003098434.tif 000003
【図２】
0003098434.tif 000004
【図３】
0003098434.tif 000005
【図４】
0003098434.tif 000006
【図５】
0003098434.tif 000007
【図６】
0003098434.tif 000008
【図７】
0003098434.tif 000009
【図８】
0003098434.tif 000010
【図９】
0003098434.tif 000011
【図１０】
0003098434.tif 000012
【図１１】
0003098434.tif 000013
【図１２】
0003098434.tif 000014
【図１３】
0003098434.tif 000015
【図１４】
0003098434.tif 000016
【図１５】
0003098434.tif 000017